(57)【要約】【課題】使い勝手を改善したビーズ織り具を提供する。【解決手段】本発明のビーズ織り具Ａは、ビーズを置くための平面状のビーズ載置面１０ａを有するプレート部材１を備え、プレート部材１は、ビーズ載置面１０ａの面内に沿う方向ｙに離間しており、ビーズ載置面１０ａの面内に沿い、かつ方向ｙに垂直な方向ｘにおいて複数の糸を互いに離間した状態で保持する糸保持部２１，２２と、各々がビーズ載置面１０ａに対して当該ビーズ載置面１０ａに垂直である方向ｚに突出し、かつ方向ｙに離間して設けられ、上記複数の糸を支持するための糸支持壁３１，３２と、方向ｙに離間しており、上記複数の糸の一端および他端を掛けるための第１および第２の糸掛け部と、を有する。【選択図】図１
2015218416.tif 000002
【特許請求の範囲】
【請求項１】
ビーズを置くための平面状のビーズ載置面を有するプレート部材を備え、
上記プレート部材は、上記ビーズ載置面の面内に沿う第１方向に離間しており、上記ビーズ載置面の面内に沿い、かつ上記第１方向に垂直な第２方向において複数の糸を互いに離間した状態で保持する第１および第２の糸保持部と、
各々が上記ビーズ載置面に対して当該ビーズ載置面に垂直である第３方向に突出し、かつ上記第１方向に離間して設けられ、上記複数の糸を支持するための第１および第２の糸支持壁と、
上記第１方向に離間しており、上記複数の糸の一端および他端を掛けるための第１および第２の糸掛け部と、を有する、ビーズ織り具。
【請求項２】
上記プレート部材は、各々が上記第２方向に延び、かつ互いに平行な第１および第２の端縁と、各々が上記第１方向に延び、かつ互いに平行な第３および第４の端縁と、を有する矩形状であり、
上記第１および第２の糸保持部は、上記第１および第１の端縁に設けられており、
上記第１および第２の糸支持壁は、上記第３方向に見た場合に上記第１および第２の糸保持部の間に位置しており、
上記第１および第２の糸掛け部は、上記プレート部材における上記ビーズ載置面とは反対側の面に設けられている、請求項１に記載のビーズ織り具。
【請求項３】
上記プレート部材は、上記第３および第４の端縁に設けられ、上記第１方向において複数の糸を互いに離間した状態で保持する第３および第４の糸保持部と、
各々が上記載置面に対して上記第３方向に突出しており、上記第２方向に離間し、かつ上記第３方向に見た場合に上記第３および第４の糸保持部の間に位置し、上記複数の糸を支持するための第３および第４の糸支持壁と、
上記第２方向に離間しており、上記複数の糸の一端および他端を掛けるための第３および第４の糸掛け部と、を有する、請求項２に記載のビーズ織り具。
【請求項４】
上記糸掛け部は、上記第３方向に延びる軸部と、この軸部の先端に位置し、上記軸部よりも大径である鍔部と、を有する、請求項２に記載のビーズ織り具。
【請求項５】
上記軸部は、上記プレート部材の上記反対側の面から延びる円筒状部を含み、
上記円筒状部に着脱可能に内挿される棒状部と、この棒状部の先端に設けられた上記鍔部と、を有するボタン部材をさらに備える、請求項４に記載のビーズ織り具。
【請求項６】
上記プレート部材は、長矩形状である、請求項３に記載のビーズ織り具。
【請求項７】
上記プレート部材における上記反対側の面の４隅には、当該反対側の面から上記糸掛け部の先端よりも離れた位置まで延びる脚部が設けられている、請求項２に記載のビーズ織り具。
【発明の詳細な説明】
【技術分野】
【０００１】
本発明は、ビーズが織り込まれたビーズ織物を作製するのに用いるビーズ織り具に関する。
【背景技術】
【０００２】
従来、ビーズが織り込まれたビーズ織物を作製するためのビーズ織り具が知られている（たとえば、特許文献１を参照）。特許文献１に記載されたビーズ織り具は、弾性変形可能なプレート部材（１０）を湾曲させた状態で使用するものである。プレート部材の両縁部には、複数の糸を互いに離間した状態で保持するための糸保持部（１５，１６）が設けられている。また、プレート部材（１０）の両縁部付近には、爪楊枝などのロッド部材（２１〜２４）を挿入可能な取付孔（１１〜１４）が形成されている。
【０００３】
特許文献１に記載されたビーズ織り具を使用する際には、同文献の図２に示されるように、プレート部材（１０）を湾曲させつつ、両縁部に形成されたスリット（１７）にプレート部材（１０）の形状を保持するための糸（３０）を複数回巻き付ける。次いで、同文献の図３に示されるように、ロッド部材に糸を引っ掛けながらプレート部材の両縁部の糸保持部（１５，１６）に複数の糸（４０）を互いに離間した状態で保持させる。このように両縁部間に並ぶ複数の糸（４０）に対し、ビーズに挿通した糸を織ることにより、ビーズ織物を作製することができる。
【０００４】
複数の糸（４０）に対して行うビーズに挿通した糸の織り作業は、複数の糸（４０）と湾曲したプレート部材（１０）との間の空間にビーズを挿通した糸をもっていき、同文献の図８および段落００２１に記載されるように、ビーズ（６０）を下から指で支持して押し上げながら行う。このような織り作業においては、ビーズ（６０）を指で支持する必要があるので、片手の自由が奪われる。したがって、上記従来のビーズ織り具においては、使い勝手の面で改善の余地があった。
【先行技術文献】
【特許文献】
【０００５】
【特許文献１】特許第４６６７１７１号公報
【発明の概要】
【発明が解決しようとする課題】
【０００６】
本発明は、このような事情のもとで考え出されたものであって、上記従来のビーズ織り具に対し、使い勝手を改善したビーズ織り具を提供することを課題としている。
【課題を解決するための手段】
【０００７】
上記の課題を解決するため、本発明では、次の技術的手段を講じている。
【０００８】
本発明によって提供されるビーズ織り具は、ビーズを置くための平面状のビーズ載置面を有するプレート部材を備え、上記プレート部材は、上記ビーズ載置面の面内に沿う第１方向に離間しており、上記ビーズ載置面の面内に沿い、かつ上記第１方向に垂直な第２方向において複数の糸を互いに離間した状態で保持する第１および第２の糸保持部と、各々が上記ビーズ載置面に対して当該ビーズ載置面に垂直である第３方向に突出し、かつ上記第１方向に離間して設けられ、上記複数の糸を支持するための第１および第２の糸支持壁と、上記第１方向に離間しており、上記複数の糸の一端および他端を掛けるための第１および第２の糸掛け部と、を有する。
【０００９】
好ましい実施の形態においては、上記プレート部材は、各々が上記第２方向に延び、かつ互いに平行な第１および第２の端縁と、各々が上記第１方向に延び、かつ互いに平行な第３および第４の端縁と、を有する矩形状であり、上記第１および第２の糸保持部は、上記第１および第１の端縁に設けられており、上記第１および第２の糸支持壁は、上記第３方向に見た場合に上記第１および第２の糸保持部の間に位置しており、上記第１および第２の糸掛け部は、上記プレート部材における上記ビーズ載置面とは反対側の面に設けられている。
【００１０】
好ましい実施の形態においては、上記プレート部材は、上記第３および第４の端縁に設けられ、上記第１方向において複数の糸を互いに離間した状態で保持する第３および第４の糸保持部と、各々が上記載置面に対して上記第３方向に突出しており、上記第２方向に離間し、かつ上記第３方向に見た場合に上記第３および第４の糸保持部の間に位置し、上記複数の糸を支持するための第３および第４の糸支持壁と、上記第２方向に離間しており、上記複数の糸の一端および他端を掛けるための第３および第４の糸掛け部と、を有する。
【００１１】
好ましい実施の形態においては、上記糸掛け部は、上記第３方向に延びる軸部と、この軸部の先端に位置し、上記軸部よりも大径である鍔部と、を有する。
【００１２】
好ましい実施の形態においては、上記軸部は、上記プレート部材の上記反対側の面から延びる円筒状部を含み、上記円筒状部に着脱可能に内挿される棒状部と、この棒状部の先端に設けられた上記鍔部と、を有するボタン部材をさらに備える。
【００１３】
好ましい実施の形態においては、上記プレート部材は、長矩形状である。
【００１４】
好ましい実施の形態においては、上記プレート部材における上記反対側の面の４隅には、当該反対側の面から上記糸掛け部の先端よりも離れた位置まで延びる脚部が設けられている。
【００１５】
本発明のその他の特徴および利点は、添付図面を参照して以下に行う詳細な説明によって、より明らかとなろう。
【図面の簡単な説明】
【００１６】
【図１】本発明に係るビーズ織り具の一例を示す斜視図である。
【図２】図１に示すビーズ織り具の平面図である。
【図３】図１に示すビーズ織り具の正面図である。
【図４】図１に示すビーズ織り具の右側面図である。
【図５】図１に示すビーズ織り具を底面側から見た斜視図である。
【図６】図２のＶＩ−ＶＩ線に沿う部分断面図である。
【図７】ビーズ織り具の使用方法を説明するための要部断面図である。
【図８】ビーズ織り具の使用方法を説明するための底面図である。
【図９】ビーズ織り具の使用方法を説明するための平面図である。
【図１０】ビーズの織り手順を説明するための斜視図である。
【図１１】ビーズ織り具の使用方法を説明するための要部断面図である。
【図１２】ビーズの織り手順を説明するための斜視図である。
【発明を実施するための形態】
【００１７】
以下、本発明の好ましい実施の形態について、図面を参照して具体的に説明する。
【００１８】
図１〜図６は、本発明に係るビーズ織り具の一実施形態を示している。本実施形態のビーズ織り具Ａは、平板状のプレート部材１を備え、ビーズが織り込まれたビーズ織物を作製するために用いるものである。
【００１９】
プレート部材１は、厚さ方向に見た場合に概略長矩形状の主板部１０を有し、たとえばポリアセタールなどの合成樹脂により一体形成されたものである。詳細は後述するが、プレート部材１（主板部１０）の上面１ａは、ビーズを置くための平面状のビーズ載置面１０ａを構成する。なお、プレート部材１の色については、ビーズ載置面１０ａにビーズを置いたときの各ビーズの色彩を視認しやすくするため、たとえば白色または淡色系の半透明状とされる。
【００２０】
プレート部材１の外周縁は、各々が方向ｘに沿って延び、互いに平行な端縁１１，１２と、各々が方向ｙに沿って延び、互いに平行な端縁１３，１４とを有する。方向ｘ，ｙは、いずれも上面１ａ（ビーズ載置面１０ａ）の面内に沿う方向であり、また、方向ｘ，ｙは、互いに垂直である。本実施形態において、端縁１３，１４の方向ｙにおける長さは、端縁１１，１２の方向ｘにおける長さよりも大きい。
【００２１】
端縁１１，１２には、複数の縦糸を互いに離間した状態で保持するための糸保持部２１，２２が設けられている。糸保持部２１は、方向ｘにおいて複数の凸部２１１が並んだ櫛歯状とされており、隣接する凸部２１１間に複数の溝部２１２が形成される。糸保持部２２もまた、方向ｘにおいて複数の凸部２２１が並んだ櫛歯状とされており、隣接する凸部２２１間に複数の溝部２２２が形成される。溝部２１２，２２２は、それぞれ方向ｘに沿って所定のピッチで並んでいる。溝部２１２，２２２のピッチは、たとえば１．５ｍｍ程度である。
【００２２】
プレート部材１（主板部１０）の上面１ａには、糸支持壁３１，３２が設けられている。糸支持壁３１，３２は、糸保持部２１，２２の近傍にそれぞれ設けられている。図１、図３に示すように、糸支持壁３１，３２は、各々、上面１ａ（ビーズ載置面１０ａ）に垂直である高さ方向（方向ｚ）に一定高さで突出し、かつ方向ｘに沿って延びている。図２に示すように、糸支持壁３１，３２は、方向ｚに見た場合、糸保持部２１，２２（端縁１１，１２）の間に位置しており、糸支持壁３１，３２の間の領域がビーズ載置面１０ａとされる。複数の縦糸が糸保持部２１，２２によって方向ｘに所定間隔を隔てて保持される際、これら複数の縦糸は、上面１ａ（ビーズ載置面１０ａ）との間に所定の間隔を隔てた状態で糸支持壁３１，３２に支持される（図１１参照）。
【００２３】
端縁１３，１４には、複数の縦糸を互いに離間した状態で保持するための糸保持部２３，２４が設けられている。糸保持部２３は、方向ｙにおいて複数の凸部２３１が並んだ櫛歯状とされており、隣接する凸部２３１間に複数の溝部２３２が形成される。糸保持部２４もまた、方向ｙにおいて複数の凸部２４１が並んだ櫛歯状とされており、隣接する凸部２４１間に複数の溝部２４２が形成される。溝部２３２，２４２は、それぞれ方向ｙに沿って所定のピッチで並んでいる。溝部２３２，２４２のピッチは、たとえば１．５ｍｍ程度である。
【００２４】
プレート部材１（主板部１０）の上面１ａには、糸支持壁３３，３４が設けられている。糸支持壁３３，３４は、糸保持部２３，２４の近傍にそれぞれ設けられている。図１、図４に示すように、糸支持壁３３，３４は、各々、方向ｚに一定高さで突出し、かつ方向ｙに沿って延びている。図２に示すように、糸支持壁３３，３４は、方向ｚに見た場合、糸保持部２３，２４（端縁１３，１４）の間に位置しており、糸支持壁３３，３４の間の領域がビーズ載置面１０ａとされる。複数の縦糸が糸保持部２３，２４によって方向ｙに所定間隔を隔てて保持される際、これら複数の縦糸は、上面１ａ（ビーズ載置面１０ａ）との間に所定の間隔を隔てた状態で糸支持壁３３，３４に支持される。
【００２５】
図５に示すように、プレート部材１（主板部１０）の下面１ｂ（ビーズ載置面１０ａとは反対側の面）には、複数（本実施形態では４つ）の糸掛け部４１，４２，４３，４４および複数の脚部５１，５２，５３，５４が設けられている。
【００２６】
糸掛け部４１は、複数の縦糸の一端を掛け止めるためのものであり、糸保持部２１の近傍に設けられている。糸掛け部４２は、複数の縦糸の他端を掛け止めるためのものであり、糸保持部２２の近傍に設けられている。これら糸掛け部４１，４２は方向ｙに離間する位置にある。
【００２７】
糸掛け部４３は、複数の縦糸の一端を掛け止めるためのものであり、糸保持部２３の近傍に設けられている。糸掛け部４４は、複数の縦糸の他端を掛け止めるためのものであり、糸保持部２４の近傍に設けられている。これら糸掛け部４３，４４は方向ｘに離間する位置にある。
【００２８】
次に、糸掛け部４１〜４４の構造について説明する。４つの糸掛け部４１〜４４はすべて同じ構造であるので、代表して１つの糸掛け部４１について説明する。
【００２９】
図６に示すように、糸掛け部４１は、円筒状部４０１と、この円筒状部４０１に取り付けられるボタン部材６を含んで構成される。円筒状部４０１は、下面１ｂから方向ｚに沿って延びている。ボタン部材６は、棒状部６１と、棒状部６１の先端に設けられた鍔部６２とを有する。棒状部６１の外径寸法は円筒状部４０１の内径寸法より僅かに小さくされており、棒状部６１は、円筒状部４０１に着脱可能に内挿される。鍔部６２の外径寸法は、円筒状部４０１の外径寸法よりも大きい。棒状部６１が円筒状部４０１に内挿された状態（ボタン部材６が取り付けられた状態）において、円筒状部４０１の先端にこの円筒状部４０１よりも大径である鍔部６２が位置する。なお、図３、図４、図６等から理解されるように、円筒状部４０１の先端には、当該円筒状部４０１の径方向に沿って十字状の凹溝４０２が形成されている。
【００３０】
複数の脚部５１〜５４は、プレート部材１の４隅において下面１ｂから方向ｚに向かって延びている。脚部５１〜５４は、各々が四角筒状であり、脚部５１〜５４の先端は、糸掛け部４１〜４４の先端（鍔部６２）よりも下面１ｂから離れた位置にある。
【００３１】
ビーズ織り具Ａの各部の寸法の一例を挙げると、プレート部材１（主板部１０）の厚さが１〜３ｍｍ程度、端縁１１，１２の方向ｘにおける長さが６ｃｍ程度、端縁１３，１４の方向ｙにおける長さが９ｃｍ程度である。糸保持部２１，２２の方向ｘにおける長さが３ｃｍ程度、糸保持部２３，２４の方向ｙにおける長さが４．５ｃｍ程度である。糸支持壁３１，３２の方向ｘにおける長さが３．５ｃｍ程度、糸支持壁３３，３４の方向ｙにおける長さが５．２ｃｍ程度である。糸支持壁３１〜３４のビーズ載置面１０ａから方向ｚへの高さが１〜２ｍｍ程度である。
【００３２】
次に、ビーズ織り具Ａを用いてビーズ織り作業を行う方法について、図７〜図１２を参照して説明する。
【００３３】
糸支持壁３１，３２間に縦糸を張る場合について説明する。この場合、まず、糸掛け部４１に糸の一端を固定する。具体的には、プレート部材１を裏返してボタン部材６を取り外し、円筒状部４０１先端の凹溝４０２に、円筒状部４０１の中心を通って径方向に沿うように、糸の一端（糸端）を置く。次に、円筒状部４０１内に糸端とともに棒状部６１を挿入する。これにより、図７に示すように、糸端は、円筒状部４０１と棒状部６１に挟まれ、糸掛け部４１に固定される。
【００３４】
次に、糸保持部２１の溝部２１２に糸を嵌めつつ当該糸をプレート部材１の上面１ａ側にて方向ｙに沿って延ばし、糸保持部２２の溝部２２２に嵌める。次いで、下面１ｂ側の糸掛け部４２（円筒状部４０１）に糸を掛け回し、当該糸を既に糸が嵌められた溝部２２２に隣接する溝部２２２に嵌める。次に、糸を上面１ａ側にて方向ｙに沿って延ばし、糸保持部２１の溝部２１２に嵌める。次に、下面１ｂ側の糸掛け部４１（円筒状部４０１）に糸を掛け回し、当該糸を既に糸が嵌められた溝部２１２に隣接する溝部２１２に嵌める。この作業を繰り返し、糸端を、たとえば下面１ｂ側の糸掛け部４３，４４のいずれかに固定する（図８参照）。このようにして、図９に表れているように、複数の縦糸Ｔ１が方向ｘにおいて等間隔に並んだ状態で糸保持部２１，２２によって保持される。また、複数の縦糸Ｔ１は糸支持壁３１，３２によって支持されており、糸支持壁３１，３２の間において複数の縦糸Ｔ１は、ビーズ載置面１０ａから糸支持壁３１，３２の方向ｚにおける高さ分（約１〜２ｍｍ）離れている。
【００３５】
次いで、針先からビーズに挿通した横糸を縦糸に織り込む。ここでは、たとえば棒部材（図示略）を用いて複数の縦糸Ｔ１を少し持ち上げ、これら縦糸Ｔ１を横切るように当該縦糸Ｔ１の下側に横糸Ｔ２およびビーズＢを通し（図１０参照）、ビーズＢをビーズ載置面１０ａ上に置く。次いで、縦糸Ｔ１を元に戻し、各ビーズＢを隣接する縦糸Ｔ１の間に挟む。このとき、図１１に示すように、ビーズＢはビーズ載置面１０ａに支持されている。また、縦糸Ｔ１は、ビーズＢの径方向の中央付近にある。
【００３６】
次に、図１２に表れているように、横糸Ｔ２を、方向ｘにおける一端にある縦糸Ｔ１で折り返し、縦糸Ｔ１の上側を通るようにビーズＢの孔に通す。このようにして、各ビーズＢには横糸Ｔ２が２本通され、２本の横糸Ｔ２で縦糸Ｔ１が上下に挟まれた状態となる。次いで、針先からビーズＢに横糸Ｔ２を挿通し、この横糸を方向ｙの他端に位置する縦糸で再び折り返す。次いで、上記したように複数の縦糸Ｔ１を少し持ち上げてこれら縦糸Ｔ１を横切るように当該縦糸Ｔ１の下側に横糸Ｔ２およびビーズＢを通し、ビーズＢをビーズ載置面１０ａ上に置く。次いで、各ビーズＢを隣接する縦糸Ｔ１の間に挟む。このような操作を所定回数繰り返すことにより、縦糸Ｔ１が延びる方向ｙに所定長さを有するビーズ織物が作製される。
【００３７】
次いで、各糸掛け部４１，４２，４３（４４）においてボタン部材６を円筒状部４０１から取り外し、円筒状部４０１に掛け回された糸（縦糸Ｔ１）を外す。そして、そして、縦糸Ｔ１の両端部を引き出すことにより、糸掛け部４１，４２に掛け回されていた部分がビーズＢ内に通り、完成状態となる。
【００３８】
糸支持壁３３，３４間に縦糸を張る場合についても、上記した糸支持壁３１，３２間に縦糸を張る場合と同様の手順によってビーズ織物を作製することができる。即ち、糸支持壁３３，３４間に縦糸を張る場合には、縦糸Ｔ１は、糸保持部２３，２４によって方向ｙにおいて等間隔に並べられるとともに糸掛け部４３，４４に掛け回される。また、縦糸は、糸支持壁３３，３４によってビーズ載置面１ａとの間に所定の間隔を隔てられる。
【００３９】
次に、ビーズ織り具Ａの作用について説明する。
【００４０】
本実施形態のビーズ織り具Ａによれば、端縁１１，１２に設けられた糸保持部２１，２２によって複数の縦糸Ｔ１が等間隔に保持されるとともに、これら縦糸Ｔ１は方向ｙに離間した糸支持壁３１，３２に支持される。ここで、複数の縦糸Ｔ１は、ビーズ載置面１０ａから糸支持壁３１，３２の高さ分だけ離れた位置にある。このため、図１１を参照した説明からも理解されるように、ビーズ織り作業を行う際、ビーズＢは、ビーズ載置面１０ａに置かれた状態で隣接する縦糸のＴ１の間に挟まれる。このような構成によれば、縦糸Ｔ１の下側に横糸Ｔ２を横切らせた後、ビーズＢを下から押し上げる必要がないので、手の自由は奪われない。したがって、ビーズ織り作業時の作業性の向上を図ることができる。
【００４１】
糸保持部２１，２２（２３，２４）は、矩形状をなすプレート部材１の端縁１１，１２に設けられており、糸掛け部４１，４２（４３，４４）は、糸支持壁３１，３２（３３，３４）が設けられる上面１ａ（ビーズ載置面１０ａ）とは反対側の下面１ｂに設けられている。このように糸掛け部４１，４２（４３，４４）が下面１ｂに設けられた構成によれば、プレート部材１（ビーズ織り具Ａ）全体のサイズのコンパクト化を図ることができる。また、ビーズ織り具Ａは、カード型であり持ち運びに適する。
【００４２】
プレート部材１の下面１ｂの４隅には、下面１ｂから糸掛け部４１〜４４の先端よりも離れた位置まで延びる脚部５１〜５４が設けられている。このような構成によれば、たとえばプレート部材１（ビーズ織り具Ａ）を机の上に置いてビーズ織り作業を行う場合、下面１ｂ側の糸掛け部４１〜４４が机に直接触れることはない。そして、ビーズ織り具Ａは、脚部５１〜５４を介して安定した状態で机上に置くことができるので、ビーズ織り作業を行いやすい。
【００４３】
各糸掛け部４１〜４４は、方向ｚに延びる円筒状部４０１（軸部）と、この円筒状部４０１の先端に位置する大径の鍔部６２とを有する。このような構成によれば、円筒状部４０１に掛け回された縦糸Ｔ１については、当該円筒状部４０１の先端側にずれたとしても、鍔部６２により係止される。したがって、糸掛け部４１に掛けられた縦糸Ｔ１が不当に外れることは防止される。
【００４４】
各糸掛け部４１〜４４は、棒状部６１および鍔部６２を有するボタン部材６を含み、棒状部６１を円筒状部４０１に内挿することによりボタン部材６が円筒状部４０１に取り付けられる。このような構成によれば、たとえば縦糸を張る作業の際、糸端を棒状部６１とともに円筒状部４０１内に挿入することにより、当該糸端を糸掛け部４１に固定することができる。また、円筒状部４０１の先端には、径方向に沿う凹溝４０２が設けられている。これにより、糸端を固定する際には、円筒状部４０１の中心を通り、かつ径方向に沿うようにして糸端を凹溝４０２に置くことにより、当該糸端の糸掛け部４１（４２〜４４）への固定を容易に行うことができる。
【００４５】
プレート部材１（主板部１０）には、端縁１１，１２よりも長い端縁１３，１４に糸保持部２３，２４が設けられ、また、糸保持部２３，２４に対応する糸支持壁３３，３４および糸掛け部４３，４４が設けられている。糸保持部３３，３４の方向ｙにおける長さは、糸保持部２１，２２の方向ｘにおける長さよりも長い。このため、糸保持部２３，２４を利用して縦糸を張ることにより、糸保持部２１，２２を利用する場合とは異なるサイズのビーズ織物を作製することができる。
【００４６】
以上、本発明の具体的な実施形態を説明したが、本発明はこれに限定されるものではなく、発明の思想から逸脱しない範囲内で種々な変更が可能である。本発明に係るビーズ織り具の具体的な形状や材質なども、上記実施形態に限定されるものではない。
【００４７】
上記実施形態においては、糸保持部２１，２２（２３，３４）が端縁１１，１２（１３，１４）に設けられる場合について説明したが、糸保持部については、これに対応する糸支持壁の方向ｚ（高さ方向）における先端に設けてもよい。糸保持部を糸支持壁の高さ方向先端に設ける場合、方向ｚに見ると糸保持部と糸支持壁とは重なることになり、糸掛け部については、プレート部材１の上面１ａにおいて対応する糸支持壁および端縁の間に設けてもよい。
【符号の説明】
【００４８】
Ａ        ビーズ織り具
ｘ        方向（第２方向）
ｙ        方向（第１方向）
ｚ        方向（第３方向）
１        プレート部材
１ａ      上面
１ｂ      下面
１０      主板部
１０ａ    ビーズ載置面
１１      端縁（第１の端縁）
１２      端縁（第２の端縁）
１３      端縁（第３の端縁）
１４      端縁（第４の端縁）
２１      糸保持部（第１の糸保持部）
２２      糸保持部（第２の糸保持部）
２３      糸保持部（第３の糸保持部）
２４      糸保持部（第４の糸保持部）
２１１，２２１，２３１，２４１    凸部
２１２，２２２，２３２，２４２    溝部
３１      糸支持壁（第１の糸支持壁）
３２      糸支持壁（第２の糸支持壁）
３３      糸支持壁（第３の糸支持壁）
３４      糸支持壁（第４の糸支持壁）
４１      糸掛け部（第１の糸掛け部）
４２      糸掛け部（第２の糸掛け部）
４３      糸掛け部（第３の糸掛け部）
４４      糸掛け部（第４の糸掛け部）
４０１    円筒状部（軸部）
４０２    凹溝
５１，５２，５３，５４    脚部
６        ボタン部材
６１      棒状部
６２      鍔部
【図１】
2015218416.tif 000003
【図２】
2015218416.tif 000004
【図３】
2015218416.tif 000005
【図４】
2015218416.tif 000006
【図５】
2015218416.tif 000007
【図６】
2015218416.tif 000008
【図７】
2015218416.tif 000009
【図８】
2015218416.tif 000010
【図９】
2015218416.tif 000011
【図１０】
2015218416.tif 000012
【図１１】
2015218416.tif 000013
【図１２】
2015218416.tif 000014